(57)【要約】      （修正有）【課題】供花用立札に葬祭用供花の贈り主の氏名等を記載するとともに、葬祭用供花の贈り主の故人に対する気持ち等を表す送詞（比較的短いメッセージ）を併せて記載できるようにした供花用立札を提供する。【解決手段】本供花用立札１は、台板１１の表面に、葬祭用供花の贈り主の氏名等を記載した氏名等記載領域１１ａと、葬祭用供花の贈り主の故人に対する気持ち等を表す送詞を記載した送詞記載領域１１ｂとを備える。これにより、葬祭用供花の贈り主は、故人に対する深い感謝とご冥福を祈る想いを心からの送詞として気品溢れる花々に託して伝えることができる。また、葬祭の参列者は、供花用立札１から葬祭用供花の贈り主の氏名等ととともに、葬祭用供花の贈り主の故人に対する気持ち等を表す送詞を読み取ることができるので、葬祭用供花の贈り主の故人を偲ぶ深い追悼の思いを知ることができる。【選択図】図１
0003164625.tif 000002
【実用新案登録請求の範囲】
【請求項１】
台板の表面に、葬祭用供花の贈り主の氏名等を記載した氏名等記載領域と、葬祭用供花の贈り主の故人に対する気持ち等を表す送詞を記載した送詞記載領域とを備えることを特徴とする供花用立札。
【請求項２】
生花類を花桶に入れて飾り付けた花飾りと、台板の表面に、葬祭用供花の贈り主の氏名等を記載した氏名等記載領域と、葬祭用供花の贈り主の故人に対する気持ち等を表す送詞を記載した送詞記載領域とを備え、前記花飾りに添えられた供花用立札とから構成されることを特徴とする葬祭用供花。
【請求項３】
故人または遺族に対する贈り主の思いを表すメッセージを記載したメッセージカードを添付したことを特徴とする請求項２記載の葬祭用供花。
【考案の詳細な説明】
【技術分野】
【０００１】
本考案は供花用立札および葬祭用供花に関し、詳しくは葬祭用供花の贈り主の故人に対する気持ちを表す比較的短いメッセージ（以下、送詞という）を記載することができる供花用立札およびそれを添えた葬祭用供花に関する。
【背景技術】
【０００２】
従来から、葬儀や法事の際には、生花類を花桶に入れて飾り付けた花飾りに供花用立札を添えた葬祭用供花が贈られることが、一般的に行われている。
【０００３】
従来の供花用立札には、図５（ａ）および（ｂ）に例示するように、葬祭用供花の贈り主の氏名等（集団名等を含む。以下同様）だけが記載されるか、葬祭用供花の贈り主の所属名等（会社名，役職名等を含む。以下同様）および氏名等が記載されるかしていた（例えば、非特許文献１参照）。
【先行技術文献】
【非特許文献】
【０００４】
【非特許文献１】http://www.kyouka-senmon.com/service/index.html
【考案の概要】
【考案が解決しようとする課題】
【０００５】
従来の供花用立札には、葬祭用供花の贈り主の氏名等だけが記載されるか、葬祭用供花の贈り主の所属名等および氏名等が記載されていたが、葬祭用供花の贈り主の故人に対する気持ち等を十分に表すことができないという問題点があった。また、葬祭の参列者は、供花用立札から葬祭用供花の贈り主の氏名等あるいは所属名等しか読み取ることができないので、葬祭用供花の贈り主の故人に対する思いを十分に知ることができないという問題点があった。
【０００６】
同様に、従来の葬祭用供花には、葬祭用供花の贈り主の氏名等だけが記載された供花用立札が添えられるか、葬祭用供花の贈り主の所属名等および氏名等が記載された供花用立札が添えられるかしていたが、葬祭用供花の贈り主の故人に対する気持ち等を十分に表すことができないという問題点があった。また、葬祭の参列者は、供花用立札から葬祭用供花の贈り主の氏名等あるいは所属名等しか読み取ることができないので、葬祭用供花の贈り主の故人に対する思いを十分に知ることができないという問題点があった。
【０００７】
本考案の目的は、上述の点に鑑み、供花用立札に葬祭用供花の贈り主の氏名等を記載するとともに、葬祭用供花の贈り主の故人に対する気持ち等を表す送詞（比較的短いメッセージ）を併せて記載できるようにした供花用立札を提供することにある。
【０００８】
また、本考案の他の目的は、供花用立札に葬祭用供花の贈り主の氏名等を記載するとともに、葬祭用供花の贈り主の故人に対する気持ち等を表す送詞を併せて記載した供花用立札を添えるようにした葬祭用供花を提供することにある。
【０００９】
さらに、本考案の別の目的は、上記葬祭用供花に、故人または遺族に対する贈り主の思いを表すメッセージを記載したメッセージカードを添付した葬祭用供花を提供することにある。
【課題を解決するための手段】
【００１０】
本考案に係る供花用立札は、台板の表面に、葬祭用供花の贈り主の氏名等を記載した氏名等記載領域と、葬祭用供花の贈り主の故人に対する気持ち等を表す送詞を記載した送詞記載領域とを備えることを特徴とする。
【００１１】
本考案に係る葬祭用供花は、生花類を花桶に入れて飾り付けた花飾りと、台板の表面に、葬祭用供花の贈り主の氏名等を記載した氏名等記載領域と、葬祭用供花の贈り主の故人に対する気持ち等を表す送詞を記載した送詞記載領域とを備え、前記花飾りに添えられた供花用立札とから構成されることを特徴とする。
【００１２】
本考案に係る葬祭用供花は、上記葬祭用供花に、故人または遺族に対する贈り主の思いを表すメッセージを記載したメッセージカードを添付したことを特徴とする。
【考案の効果】
【００１３】
本考案の供花用立札によれば、台板の表面に、葬祭用供花の贈り主の氏名等を記載した氏名等記載領域と、葬祭用供花の贈り主の故人に対する気持ち等を表す送詞を記載した送詞記載領域とを備えるので、葬祭用供花の贈り主は、故人に対する深い感謝とご冥福を祈る想いを心からの送詞として気品溢れる花々に託して伝えることができるという効果を奏する。また、葬祭の参列者は、供花用立札から葬祭用供花の贈り主の氏名等ととともに、葬祭用供花の贈り主の故人に対する気持ち等を表す送詞を読み取ることができるので、葬祭用供花の贈り主の故人を偲ぶ深い追悼の思いを知ることができるという効果を奏する。
【００１４】
本考案に係る葬祭用供花によれば、台板の表面に、葬祭用供花の贈り主の氏名等を記載した氏名等記載領域と、葬祭用供花の贈り主の故人に対する気持ち等を表す送詞を記載した送詞記載領域とを備える供花用立札を、生花類を花桶に入れて飾り付けた花飾りに添えるようにしたので、葬祭用供花の贈り主は、故人に対する深い感謝とご冥福を祈る想いを心からの送詞として気品溢れる花々に託して伝えることができるという効果を奏する。また、葬祭の参列者は、供花用立札から葬祭用供花の贈り主の氏名等ととともに、葬祭用供花の贈り主の故人に対する気持ち等を表す送詞を読み取ることができるので、葬祭用供花の贈り主の故人を偲ぶ深い追悼の思いを知ることができるという効果を奏する。
【００１５】
本考案に係る葬祭用供花によれば、葬祭用供花に故人または遺族に対する贈り主の思いを表すメッセージを記載したメッセージカードを添付するようにしたので、故人に対するばかりでなく遺族に対する葬祭用供花の贈り主の思いも、供花用立札に記載される送詞に比べて比較的長いメッセージによって伝えることができるととともに、メッセージカードをおくやみ電報（弔電）の代わりに参列者の前で読み上げることができるという効果を奏する。
【図面の簡単な説明】
【００１６】
【図１】（ａ）および（ｂ）は本考案の実施例１に係る供花用立札の正面図および背面図である。
【図２】本実施例１に係る供花用立札を花飾りに挿し込む様子を示す分解斜視図である。
【図３】本実施例１に係る葬祭用供花を示す正面図である。
【図４】本考案の実施例２に係る供花用立札の分解斜視図である。
【図５】（ａ）および（ｂ）は従来の供花用立札の一例をそれぞれ示す正面図である。
【考案を実施するための形態】
【００１７】
以下、本考案の実施例について図面を参照して詳細に説明する。
【実施例１】
【００１８】
図１（ａ）および（ｂ）は、本考案の実施例１に係る供花用立札１を示す正面図および背面図である。この供花用立札１は、縦長の長方形状の台板１１と、台板１１の三角頂部に設けられた庇１２と、台板１１に付設した脚棒１３とから、その主要部が構成されている。
【００１９】
台板１１の表面には、葬祭用供花の贈り主の氏名等を記載した氏名等記載領域１１ａと、葬祭用供花の贈り主の故人に対する気持ち等を表す送詞を記載した送詞記載領域１１ｂとが形成されている。なお、氏名等記載領域１１ａおよび送詞記載領域１１ｂに記載される氏名等および送詞は、筆によって墨書されていてもよいし、インクジェットプリンタ等によって印刷されていてもよい。
【００２０】
また、台板１１の裏面には、金具１４ａ等で脚棒１３が固着されている。ただし、台板１１に対する脚棒１３の固着手段は、どのようなものであってもよい。
【００２１】
氏名等記載領域１１ａには、葬祭用供花の贈り主の氏名等が記載されているが、氏名等には「子供一同」、「孫一同」、「営業部一同」等の集団名も含まれる。また、所属名等（会社名等）や「代表取締役社長」等の肩書を併記することもできる。
【００２２】
送詞記載領域１１ｂには、「これからも見守ってね」、「おじいちゃん、ありがとう」、「お父さん、ゆっくり休んでください」、「おばあちゃん、天国でもお元気で」、「君に出会えて幸せでした」等の比較的短いメッセージ（例えば、１６文字まで）である送詞を記載することができる。
【００２３】
このように構成された本実施例１に係る供花用立札１は、図２に例示するように、生花類３を花桶５に入れられたフローラルフォーム４に挿し込んで飾り付けることにより花飾り７を制作した後に、供花用立札１の脚棒１３を花桶５に一体または別体の立札受け具６に挿し込むことにより花飾り７に添えて、葬祭用供花として一体的に配置されて使用される。
【００２４】
なお、図２では、花桶５を盛花スタンド８に設置して配置するようにしたが、図３に示すように、盛花スタンド８を使用せずに、花桶５を祭壇等の上に直接載置して、供花用立札２を添えた花飾り７を葬祭用供花として飾るようにしてもよい。
【００２５】
また、葬祭用供花には、図３に示すように、さらにメッセージカード９を添付するようにしてもよい。ここでは、メッセージカード９は、供花用立札１の下端縁に糊、粘着テープ等で容易に剥がし取ることができるように貼着されているが、メッセージカード９の葬祭用供花に対する添付方法はどのようなものであってもよい。メッセージカード９に記載されるメッセージとしては、供花用立札２に記載される送詞に比べて比較的長く、また故人に対するばかりでなく、遺族に対する葬祭用供花の贈り主の思いを表すメッセージを記載することができる。例えば、通常のおくやみ電報（弔電）で使用される弔意文等が想定され、「いつまでも、いつまでもお元気で長生きしてくださるものと思っておりました。在りし日のお姿を偲び、心からご冥福をお祈りいたします。／孫一同」、「○○様のご逝去を悼み、謹んでお悔やみ申しあげます。／○○株式会社、代表取締役  東京花子」、「突然の悲報に接し、ご遺族様のお悲しみ。いかばかりかと拝察いたします。お別れもできなくて、残念です。故人のご冥福をお祈りいたします。／東京花子」等のメッセージが考えられる。その他、葬祭用供花の贈り主の故人または遺族に対する思いを表すメッセージを比較的自由に記載することができる。なお、メッセージカードは、通常のおくやみ電報（弔電）と同様に、あるいは通常のおくやみ電報（弔電）に代えて、参列者の前で読み上げることができる。
【００２６】
本実施例１に係る供花用立札１およびそれを添えた葬祭用供花によれば、台板１１の表面に、葬祭用供花の贈り主の氏名等を記載した氏名等記載領域１１ａと、葬祭用供花の贈り主の故人に対する気持ち等を表す送詞を記載した送詞記載領域１１ｂとを備えるので、葬祭用供花の贈り主は、故人に対する深い感謝とご冥福を祈る想いを心からの送詞として気品溢れる花々に託して伝えることができる。また、葬祭の参列者は、供花用立札１から葬祭用供花の贈り主の氏名等ととともに、葬祭用供花の贈り主の故人に対する気持ち等を表す送詞を読み取ることができるので、葬祭用供花の贈り主の故人を偲ぶ深い追悼の思いを知ることができる。加えて、葬祭用供花に故人または遺族に対する贈り主の思いを表すメッセージを記載したメッセージカード９を添付できるようにしたので、故人に対するばかりでなく遺族に対する葬祭用供花の贈り主の思いも、供花用立札に記載される送詞に比べて比較的長いメッセージによって伝えることができるととともに、メッセージカード９をおくやみ電報（弔電）の代わりに参列者の前で読み上げることができる。
【実施例２】
【００２７】
次に、本考案の実施例２について説明する。実施例２に係る立札２は、図４に示すように、台板２１と、庇２２と、脚棒２３と、表示シート２４とから、その主要部が構成されている。
【００２８】
台板２１は、縦長の長方形板状の台板部２１１と、台板部２１１の表面の左右両端縁に貼り付けられた一対の細幅板２１２，２１２（図示は１つ）と、一対の細幅板２１２，２１２の表面にそれぞれ貼り付けられた一対の太幅板２１３，２１３（図示は１つ）と、台板部２１１の表面の下端縁に貼り付けられた細幅板２１４と、細幅板２１４の表面に貼り付けられた太幅板２１５とから構成されている。台板部２１１は、その表面の左右両端縁および下端縁に細幅板２１２,２１２および細幅板２１４を貼着し、さらにそれらの表面に太幅板２１３,２１３および太幅板２１５を積層貼着しているので、台板部２１１と太幅板２１３，２１３および太幅板２１５との間には、表面側および上端側が開放された、細幅板２１２，２１２および細幅板２１４の厚みの表示シート挿入溝２１６が形成されている。
【００２９】
庇２２は、台板部２１１の三角頂部より左右に突出した長さで、連結したり、または組み合わせたりして山型状となるようになっており、底面部に台板部２１１の三角頂部に嵌合する嵌合溝２２ａが穿設されている。
【００３０】
また、台板２１の裏面には、金具等で脚棒２３が固着されている。ただし、台板２１に対する脚棒２３の固着手段は、どのようなものであってもよい。
【００３１】
表示シート２４は、台板部２１１の表面を覆い、かつ表示シート挿入溝２１６に嵌合できるサイズの縦長の長方形板状に形成されている。また、表示シート２４の表面には、葬祭用供花の贈り主の氏名等を記載した氏名等記載領域２４ａと、葬祭用供花の贈り主の故人に対する気持ち等を表す送詞を記載した送詞記載領域２４ｂとが設けられている。なお、氏名等記載領域２４ａおよび送詞記載領域２４ｂに記載される氏名等および送詞は、筆によって墨書されていてもよいし、プリンタ等によって印刷されていてもよい。表示シート２４は、台板２１の表面側上方より表示シート挿入溝２１６に挿し入れられ、庇２２を嵌合溝２２ａにより台板部２１１の三角頂部に嵌合することにより、表示シート挿入溝２１６から抜け止めされるようになっている。なお、庇２２が台板部２１１から容易に離脱しないように、粘着テープ等によって補強することができる。
【００３２】
このように構成された本実施例２に係る供花用立札２も、図２に例示したように、生花類３を花桶５に入れられたフローラルフォーム４に挿し込んで飾り付けることにより花飾り７を制作した後に、供花用立札２の脚棒２３を花桶５に一体または別体の立札受け具６に挿し込むことにより花飾り７に添えて、葬祭用供花として一体的に配置されて使用される。
【００３３】
また、図２では、花桶５を盛花スタンド８に使用して配置するようにしたが、図３に示すように、盛花スタンド８を使用せずに、花桶５を祭壇等の上に直接載置して、供花用立札２を添えた花飾り７を葬祭用供花として飾るようにしてもよい。
【００３４】
本実施例２に係る供花用立札２およびそれを添えた葬祭用供花によれば、実施例１に係る供花用立札１と同様に、供花用立札２の表示シート２４の表面に、葬祭用供花の贈り主の氏名等を記載した氏名等記載領域２４ａと、葬祭用供花の贈り主の故人に対する気持ち等を表す送詞を記載した送詞記載領域２４ｂとを備えるので、葬祭用供花の贈り主は、故人に対する深い感謝とご冥福を祈る想いを心からの言葉として気品溢れる花々に託して伝えることができる。また、葬祭の参列者は、供花用立札２から葬祭用供花の贈り主の氏名等ととともに、葬祭用供花の贈り主の故人に対する気持ち等を表す送詞を読み取ることができるので、葬祭用供花の贈り主の故人を偲ぶ深い追悼の思いを知ることができる。加えて、葬祭用供花に故人または遺族に対する贈り主の思いを表すメッセージを記載したメッセージカード９を添付できるようにしたので、故人に対するばかりでなく遺族に対する葬祭用供花の贈り主の思いも、供花用立札に記載される送詞に比べて比較的長いメッセージによって伝えることができるとともに、メッセージカード９をおくやみ電報（弔電）の代わりに参列者の前で読み上げることができる。
【００３５】
また、本実施例２に係る供花用立札２およびそれを添えた葬祭用供花によれば、実施例１に係る供花用立札１およびそれを添えた葬祭用供花による上記効果に加えて、表示シート２４を取り換えるだけで供花用立札２の大部分を再利用することができるので、経済的であるとともに環境にも優しいという効果が得られる。加えて、表示シート２４は、紙やプラスチック等で薄く作成できるので、通常のプリンタを使用して印刷することが可能になるという利点がある。
【００３６】
以上、本考案の各実施例を説明したが、これらはあくまでも例示にすぎず、本考案はこれらに限定されるものではなく、実用新案登録請求の範囲の趣旨を逸脱しない限りにおいて、当業者の知識に基づく種々の変更が可能である。
【００３７】
例えば、各実施例では、氏名等記載領域を左側、送詞記載領域を右側に配置するようにしたが、氏名等記載領域を右側、送詞記載領域を左側に配置することもできる。また、氏名等記載領域および送詞記載領域を上下に配置することもできる。
【００３８】
また、各実施例では、供花用立札の台板の上部に庇を設けるようにしたが、庇は必ずしも設ける必要はない。さらに、脚棒も、供花用立札を花飾りに対して添えるための他の手段があれば、必ずしも設ける必要はない。
【符号の説明】
【００３９】
１，２  供花用立札
３  生花類
４  フローラルフォーム
５  花桶
６  立札受け具
７  花飾り
８  盛花スタンド
９  メッセージカード
１１，２１  台板
１１ａ，２４ａ  氏名等記載領域
１１ｂ，２４ｂ  送詞記載領域
１２，２２  庇
１３，２３  脚棒
１４ａ  金具
２２ａ  嵌合溝
２４  表示シート
２１１  台板部
２１２  細幅板
２１３  太幅板
２１４  細幅板
２１５  太幅板
２１６  表示シート挿入溝
【図１】
0003164625.tif 000003
【図２】
0003164625.tif 000004
【図３】
0003164625.tif 000005
【図４】
0003164625.tif 000006
【図５】
0003164625.tif 000007